(57)【要約】本発明は、機械可読担体（１０）を特徴付ける方法を提供する。この担体、例えば、レコード又は磁気テープには、光学的又は音響的に再生するための情報がこの担体上に連続的なシーケンスで入れられる。担体を個々に識別するマーキング（１４）の列が、音響的又は光学的な前記情報の領域内に形成され、これらのマーキングは前記情報と一緒に読出しうる。
2007507051.tif 000002
【特許請求の範囲】
【請求項１】
再生に供される情報が機械可読媒体（１０）上に連続的なシーケンスで含まれる当該機械可読媒体にマーキングを施すマーキング方法において、再生に供される前記情報の領域に、媒体を個々に識別しうるマーキング（１４）の列であって、再生に供される前記情報と同時に読み出しうる当該マーキングの列を形成することを特徴とするマーキング方法。
【請求項２】
請求項１に記載のマーキング方法において、情報の再生が媒体を個々に識別しうる程度に変化されるように、前記マーキングを形成することを特徴とするマーキング方法。
【請求項３】
請求項１または２に記載のマーキング方法において、再生に供される前記情報を音声情報とすることを特徴とするマーキング方法。
【請求項４】
請求項１〜３のいずれか一項に記載のマーキング方法において、再生に供される前記情報を画像情報とすることを特徴とするマーキング方法。
【請求項５】
請求項１〜４のいずれか一項に記載のマーキング方法において、再生に供される前記情報をアナログ情報とすることを特徴とするマーキング方法。
【請求項６】
請求項１〜５のいずれか一項に記載のマーキング方法において、前記マーキングは、再生に供される前記情報とは時間的に別個に、媒体上に形成することを特徴とするマーキング方法。
【請求項７】
請求項１〜６のいずれか一項に記載のマーキング方法において、前記マーキングは、媒体の磁気的特性および機械的特性の双方またはいずれか一方を変化させることによって形成することを特徴とするマーキング方法。
【請求項８】
請求項１〜７のいずれか一項に記載のマーキング方法であって、前記媒体（１０）には第１区分（２０）に再生に供されるアナログ情報を含め、少なくとも１つの第２区分（３０、３２）に再生に供されるデジタル情報を重畳的に含め、前記マーキング（１４）の列は前記第１区分（２０）に形成することを特徴とするマーキング方法。
【請求項９】
請求項１〜８のいずれか一項に記載のマーキング方法において、前記マーキングをレーザを用いて形成することを特徴とするマーキング方法。
【請求項１０】
機械可読媒体（１０）上に連続的なシーケンスで含まれ、再生に供される情報用の当該機械可読媒体において、この機械可読媒体を個々に識別するとともに、再生に供される情報と一緒に読み出しうるマーキング（１４）の列が、再生に供される前記情報の領域に形成されていることを特徴とする機械可読媒体。
【請求項１１】
請求項１０に記載の機械可読媒体において、この機械可読媒体がほぼ平面形状であり、特にテープ形状であることを特徴とする機械可読媒体。
【請求項１２】
請求項１０または１１に記載の機械可読媒体において、前記マーキングの列が識別コード（１６）であることを特徴とする機械可読媒体。
【請求項１３】
請求項１０〜１２のいずれか一項に記載の機械可読媒体において、前記マーキングの列は、再生情報に対する聴き手の知覚にほとんどまたは全く影響を与えないように形成されていることを特徴とする機械可読媒体。
【請求項１４】
請求項１０〜１３のいずれか一項に記載の機械可読媒体において、前記マーキングのうちの１つが少なくとも読み出し方向（Ａ）に対し直交する方向に延在していることを特徴とする機械可読媒体。
【請求項１５】
請求項１〜１４のいずれか一項に記載の機械可読媒体において、この機械可読媒体（１０）上では、再生に供されるアナログ情報が第１区分（２０）内に含まれており、再生に供されるデジタル情報が少なくとも１つの第２区分（３０、３２）に含まれており、前記マーキング（１４）が前記第１区分（２０）に形成されていることを特徴とする機械可読媒体。
【請求項１６】
請求項１５に記載の機械可読媒体において、前記アナログ情報と前記デジタル情報とが互いに一致していることを特徴とする機械可読媒体。
【請求項１７】
請求項１６に記載の機械可読媒体において、前記マーキング（１４）が形成されているアナログ情報の領域ではこのアナログ情報に一致するデジタル情報が、存在していないまたは読み出し不能或いはその双方となっていることを特徴とする機械可読媒体。
【請求項１８】
請求項１７に記載の機械可読媒体において、読み出し不能なデジタル情報が形成されるまたは形成されたこの機械可読媒体（１０）は、光学特性が後に変化されていることを特徴とする機械可読媒体。
【請求項１９】
請求項１５〜１８のいずれか一項に記載の機械可読媒体において、前記第１区分（２０）が光学的音声トラックであることを特徴とする機械可読媒体。
【請求項２０】
請求項１５〜１９のいずれか一項に記載の機械可読媒体において、前記第２区分（３０、３２）がデジタル音声トラックであることを特徴とする機械可読媒体。
【請求項２１】
請求項１９に記載の機械可読媒体において、前記第２区分（３０，３２）がデジタル音声トラックであり、このデジタル音声トラック（３０、３２）は、光学的音声トラック（２０）上のマーキング（１４）に隣接する個所において、存在していないかまたは読み出し不能或いはその双方となっていることを特徴とする機械可読媒体。
【請求項２２】
請求項１０〜２１のいずれか一項に記載の機械可読媒体（１０）を複製することによって得た、再生に供される情報を含む、特徴付け媒体。
【請求項２３】
請求項１０〜２２のいずれか一項に記載の機械可読媒体（１０）を識別する識別方法であって、
マーキング（１４）が付された媒体上の領域において、この媒体上に入れられた再生に供される情報を機械読み出しする過程と、
前記マーキングの列を判定するために読み出された情報を評価する過程と、
判定されたマーキングの列に基づいて媒体を識別する過程と
を有する識別方法。
【請求項２４】
請求項２３に記載の識別方法において、前記マーキングの列の判定には、画像分析および周波数分析の双方またはいずれか一方を含めることを特徴とする識別方法。
【請求項２５】
請求項２３または２４に記載の識別方法において、この方法がさらに、
基準情報を得る過程と、
前記マーキングを識別するため、媒体から読み出された再生に供される情報と前記基準情報とを比較する過程と
を有する識別方法。
【発明の詳細な説明】
【技術分野】
【０００１】
本発明は、機械可読媒体材料に関するものである。特に、本発明は、このような媒体材料を個々に識別することに関するものである。
【背景技術】
【０００２】
情報再生のためのメカニズムは、さまざまな技術分野で注目されている。通常、再生用の情報は物理的な媒体に入れられ、適切なデバイスを用いて読み出される。読み出された情報は、光学的にまたは音響的に、もしくはこれら両者の組み合わせで、或いはその他の知覚可能な方法で再生される。
【０００３】
媒体の取り扱いに関連する様々な状況に応じて、媒体にマーキング（印付け）をすることが望まれている。そこで、媒体の製造においては、連続番号やバッチ番号表示といった個々に識別するためのマーキングを媒体に施す必要がしばしばある。こうしたマーキングによって、製造後に、製造地、製造パラメータ、販売ルートなどを決定することが容易になる。
【０００４】
一般に、媒体にマーキングを付けるには、例えば、印刷や彫刻等の適切な技術によって媒体の表面に連続番号を付する方法がある。情報の再生に影響を及ぼさないよう、マーキングは、再生用の情報を含んだ媒体上の領域とは別の個所に施すように注意されている。
【０００５】
従来のマーキングでは、意図的に或いは意図せずに、改ざんされてしまうことが多いことを実際に確かめた。
【発明の開示】
【０００６】
本発明は、再生に供される情報を含む、機械可読媒体におけるマーキング方法を改善することを目的とするものである。
【０００７】
本発明によれば、再生に供される情報が機械可読媒体上に連続的なシーケンスで含まれる当該機械可読媒体にマーキングを施し、この機械可読媒体を個々に識別するとともに、再生に供する情報と一緒に読み出しうるマーキングの列をこの再生に供される情報の領域に形成する方法によって、上述した目的を達成する。
【０００８】
この本発明の方法によれば、再生用の情報と、媒体を明確に識別するために設けたマーキングとを関連させることができる。この関連の結果、再生用の情報は媒体の個々の識別のために変更され、その結果、情報の再生結果も、媒体が個々に識別されるように変更される。
【０００９】
媒体に含まれる情報は、光学的に或いは音響的に、もしくはこれら両者の組み合わせで、またはその他の方法で再生することができる。従って、再生用の情報は、音声情報または画像（イメージ）情報とすることができる。媒体には、音声と、これに関連した画像情報との双方を含めることもできる。
【００１０】
媒体には再生用の情報を種々の形式で含めることができる。再生用の情報は、例えば、アナログ情報にすることができる。媒体には再生用の情報をデジタル形式で与えることもできる。デジタル情報は、再生される前にアナログ形式に変換することができる。
【００１１】
媒体上のマーキングは、再生用の情報を与えるのと同時に形成することができる。従って、この場合、マーキングは再生用の情報内に含めることができる。しかし、マーキングを、再生用の情報を与えるのと時間的に異ならせて形成することもできる。このことは、マーキングは、再生用の情報を与える前に予め、或いは再生用の情報を与えた後に形成しうるということを意味する。
【００１２】
マーキングは、非常に多様な方法で形成することができる。マーキングの形成方法には、媒体の磁気的、機械的または光学的特性の変化を導入することができる。これらの特性の複数を同時に変化させる方法も可能である。例えば、マーキングは、媒体の機械的および光学的属性を同時に変化させることによって形成することができる。すでに言及したように、マーキングは、再生用の情報と同時に読み出せるように形成しうる。従って、一般に、マーキングと再生用の情報との双方を、同一の媒体特性を変化させることによって形成するのが有効である。
【００１３】
マーキングは、媒体への機械的な操作または非接触的方法によって形成することができる。マーキングの非接触的方法による形成は、例えばレーザーを使用することで可能になる。
【００１４】
本発明の他の観点によれば、機械的に読み出し可能な媒体は、媒体上に連続的なシーケンスとして含まれる再生用の情報のために提供する。再生用の情報が含まれる領域に、媒体を個々に識別するための一連のマーキングを形成し、再生用の情報と一緒に読み出しうるようにする。
【００１５】
媒体の物理的形態に関する限り、さまざまな可能性が考えられる。互換性の理由から、本発明に係る媒体を、在来のデータ媒体の形態にするのが有効である。互換性の配慮を要しない場合には、他の媒体も使用することができる。媒質は、ほぼ平面の形状（例えば、ディスク状或いはテープ状）にすることができる。
【００１６】
再生用の情報は、これに関連するマーキングとともに、在来の装置を用いて読み出しうる。磁気的、機械的または光学的な読み取り方法が使用可能である。
【００１７】
前述したように、媒体を個々に識別するためのマーキングは、再生用の情報の領域に、連続的に形成する。これは、マーキングの列が媒体を識別する機能を有するということを意味する。マーキングは、個別にであれ全体としてであれ、直接読み出しうるようにしないのが好ましい。この条件を満足させるため、マーキングの列が識別コードを表すようにすることができる。この識別コードは、バイナリコードやバーコードとしうる。
【００１８】
バイナリコードの場合、マーキングの列中に、単独のマーキングを意図的に形成するかまたは形成しないようにする。従って、バイナリコードは、単独のマーキングが存在するかしないかによって決定される。バーコードは、異なる太さ、すなわち空間的広がりが異なるマーキングの列である。その他のコード化方式であっても、マーキングの列を使用して実施可能なものであれば、マーキング付けに使用することができる。
【００１９】
マーキングは、視聴者による再生情報の知覚にほとんど或いは全く影響を及ぼさないように、媒体上に形成することができる。従って、再生用の情報内のマーキングを捕捉するためには、専用の捕捉手段を使用するのが有効である。通常、このような捕捉手段は、完全に自動的に作動する。
【００２０】
再生情報の知覚認識が全く或いはそれ程影響を受けないようにするためには、１つのマーキングが再生情報に影響を与えるおそれのある時間を２５０ミリ秒未満、特に１００ミリ秒未満にする。一般に、１つのマーキングにおけるマーキングの読み出し方向に対し直交する方向に１つのマーキングが延在する長さが５００マイクロメートル未満、特に２００マイクロメートル未満であれば、再生用の情報が読み出される速度に依存して、再生情報への影響が全く或いは殆ど知覚できなくなる。
【００２１】
媒体を個々に識別するマーキングの列は、媒体上に一回だけ形成することができる。しかし、マーキングの列を、媒体上に、空間的にずらして複数回形成することも考えうる。
【００２２】
本発明の好適例では、媒体上で、再生用のアナログ情報を第１区分に入れ、再生用のデジタル情報を少なくとも１つの第２区分に入れる。媒体を個々に識別するマーキングの列は第１区分（再生用のアナログ情報の領域）だけに設けたり、第２の区分だけに設けたり、もしくは双方の区分に同時に設けたりすることもできる。
【００２３】
アナログ情報とデジタル情報とは互いに一致させることができる。換言すれば、アナログ情報とデジタル情報とをこれらの内容が一致するように重複して設けることができる。このことは、例えば、（デジタル情報を入れた）媒体の第２区分を一次情報源として使用し、（アナログ情報を入れた）第１区分を二次（すなわち予備）情報源とする場合に有効なことである。二次情報源は、一次情報源が使用不能であるか又はその使用が制約されていたり、現に読み出しのために存在する技術手段がアナログ情報しか読み取れないという場合に備えて設けておくことができる。媒体の第１区分ではなく第２区分にマーキングを設けることもできること勿論である。この方法は、例えば、第１区分が一次情報源として機能する場合に好ましい。
【００２４】
マーキングが設けられている領域においてアナログ情報に一致するデジタル情報は、存在させないかまたは読み取り不能にしておくことができる。適所でデジタル情報を省略するか或いはデジタル情報を読み取り不能にする方法またはその他の方法を使うことによって、一次情報源から二次情報源への移行を強制的に行うようにすることができる。このようにして、適所でアナログ情報を読み出すのを、媒体を個々に識別するためのマーキング列を読み出すのと同時に実現できる。
【００２５】
形成する（または形成した）デジタル情報を読み出し不能にする個所では、媒体の光学的特性を後に変更するようにすることができる。この場合、第１工程で、媒体にデジタル情報を設け、これに続く第２工程で、そのデジタル情報を適所で（例えば機械的装置或いはレーザを使って）機械的に或いは光学的に、変化させるようにすることができる。
【００２６】
アナログ情報を含んだ第１媒体区分は光学的音声トラックにでき、デジタル情報を含んだ第２媒体区分はデジタルの音声トラックにすることができる。複数のデジタル音声トラックを同時に設けることもできる。この場合、１つのまたは幾つかのまたは全てのデジタル音声トラックを適所で存在しないか読み出し不能にすることができる。デジタル音声トラックを存在しないか読み出し不能にする個所は、マーキングに隣接する個所であることが好ましい。
【００２７】
デジタル音声トラックは、マーキングが置かれているアナログ音声トラックの部分に情報的に対応する部分において、存在しないか読み出し不能にするようにしうる。
【００２８】
本発明は、再生用の情報を含み、前述した媒体（「マスター媒体」）の複製によって得たマーキング付媒体にも関するものである。（マスター媒体を個々に識別するためのマーキングの列を含む）再生用の情報を、マスター媒体を複製することによって得られる媒体上に、形式を変更して含めることができる。特に、再生用の情報を連続的なシーケンスで複製体上に設けることはもはや不要である。複製時に、フォーマット変換過程、例えばアナログ／デジタル変換が含まれるようにすることもできる。再生用の情報を、マスター媒体では例えばアナログ形式で存在させることができるのに対して、この情報を、マスター媒体の複製によって得られる媒体（例えばＣＤ、ＣＤ−ＲＯＭ、ＤＶＤ、ＤＶＤ−ＲＯＭ）には、デジタル形式で保存することができる。
【００２９】
本発明の更なる観点によれば、マスター媒体、特に複製の元となったマスター媒体を識別する方法を提供する。この方法は、任意の媒体（マスター媒体もしくはコピー）で、マーキングが設けられた領域に含まれる再生用の情報を機械的に読み出す過程と、マーキングの列を判定するために読み出された情報を評価する過程と、判定したマーキングの列に基づいて、マスター媒体を識別する過程とを有する。
【００３０】
読み出された情報の評価には、読み出された情報を再生し、再生された情報を解析することも含めうる。このことは、マーキングの列を、例えば読み出された情報に基づいて直接決定するのではなく、例えば音響的にまたは光学的に再生された情報に基づいて決定することができることを意味する。読み出された情報或いは再生された情報における、マーキング列を決定するのに、画像解析およびスペクトル解析の双方またはいずれか一方を用いることができる。画像および音声の双方またはいずれか一方の濾波機構を用いることもできる。
【００３１】
マーキングの列は、基準情報に基づいて決定することができる。マーキング付けされていない基準情報が利用可能な場合には、媒体から読み出された再生を目的とする或いはすでに再生された情報と、この基準情報との比較に基づく、個々のマーキングの識別が可能になる。
【実施例】
【００３２】
本発明のさらなる利点および詳細は、以下の、図面を参照した好適実施例の説明から明らかとなるであろう。
【００３３】
本発明による媒体及びこれら媒体に対する本発明による識別方法の好適実施例を以下に説明する。
【００３４】
図１は、本発明に係る媒体の第１実施例であるレコード１０を示す。このレコード１０の場合、音声情報がらせん溝の領域内に、（例えば歌として）連続的に且つ論理的な順序で入れられている。より正確には、音声情報は溝の構造特性（昇降部）によって規定される。
【００３５】
図１では、らせん溝１２の一部が拡大表示されている。図面を簡明にするために、溝１２の領域における音声情報、すなわち昇降部は図示していない。一方、溝１２すなわち音声情報の領域に設けられたマーキング１４の列は示してある。マーキング１４は、溝１２に対するのと同じ尺度で描いていない。実際には、マーキング１４の形状は、レコード１０がレコードプレーヤで再生されたときに、音声情報の再生に及ぼす影響が聴き手にはほとんど知覚できないようなものである。音楽の楽しみに悪影響を及ぼさないようにするためには、例えば、マーキング１４を、２つの順次の楽曲の間にある、無音の遷移区分に設けることができる。一方、マーキングを音声的にほとんど隠せるならば、マーキング１４を曲の中に設けることも考えられる。
【００３６】
図１に示されるように、マーキング１４の列は、バイナリコード１６として表すことができる。矢印Ａで示される読み出し方向を参照すれば、図１の例のマーキング１４は二進数１１１０１０１を構成する。この二進数は十進数の１１７に対応する。言い換えれば、識別コード１１７がレコード１０に割り当てられていることになる。この識別コードは、例えば連続番号やバッチ番号表示にすることができる。
【００３７】
マーキング１４はレーザを使用した非接触的方法によって形成した。又、マーキング１４は、レコード１０をプレス成型した後に形成した。しかし、レコード１０をプレス成型している際に、従って音声情報と同時にマーキング１４を形成することも可能である。
【００３８】
図１に示すように、個々のマーキング１４は読み出し方向Ａに対しほぼ直交する方向に延在している。読み出し方向Ａに対し直交する方向における１つのマーキングの幅は、５０マイクロメートルよりも短い。レコード１０に入れられた音声情報は、これを再生すると、レコードプレーヤの針がマーキング１４の列を掃引する、すなわち読み取る際に、レコード１０を識別できる程度に変化する。
【００３９】
図２には、本発明に係る媒体の第２の実施例の一部分を、磁気テープ１０の形態で示してある。磁気テープ１０には、アナログまたはデジタルの音声および画像情報の双方又はいずれか一方が記録されている。再生を目的とするこの情報は、磁気テープ１０上に、矢印Ａで示される読み出し方向に沿って、連続的に入れられている。
【００４０】
図２から明らかなように、再生用の情報の領域に、マーキング１４の列が２度繰り返される形で設けられている。マーキング１４は、再生用の情報を記録した後に、磁気テープ１０の磁気特性を局所的に変化させることによって形成した。明瞭とするため、図２の各マーキング１４は、斜線を施した楕円として図示してあるが、実際には、マーキング１４を視覚的に感知することはできない。
【００４１】
図１に関してすでに説明したように、マーキング１４の列はバイナリコード１６を表している。より詳しくいえば、マーキング１４の列は二進数１１１０１０１（十進数で１１７）を表す。従って、マーキング１４の列は磁気テープ１０を個々に識別するのに適している。
【００４２】
マーキング１４の列は、磁気テープ１０が再生される際、再生用の情報と一緒に読み出され、従って情報の再生時に、磁気テープ１０を個々に識別できる程度に顕著性があるようにする。しかし、マーキング１４の幾何学的な寸法と、マーキング１４の領域における磁気特性の変化の強度とは、聴き手による、再生情報の知覚にほとんど或いは全く影響を及ぼさないように選択する。
【００４３】
図３ａには、本発明に係る媒体の第３の実施例が、セルロイドフィルム１０の形態で示されている。このフィルムは、アナログの音声および画像情報が記録されたテープ状のもので、フィルムプロジェクタを使用して再生される。音声情報は、連続的なシーケンスで光学的音声トラック２０の形態となっている。画像情報も、例えば映画フィルムのように、光学的音声トラック２０に隣接する区分２２に連続的なシーケンスで入れられている。
【００４４】
図３ａから明らかなように、光学的音声トラック２０の領域内には、平行な棒（バー）状のマーキング１４の列が形成されている。マーキング１４の列は読み出し方向Ａの視点から、バイナリコード、すなわち二進数１１１０１０１（十進数１１７）として読み取りうる。光学的音声トラック２０の領域に、例えば後処理でレーザを使用して付加されるマーキング１４は、セルロイドフィルムの光学特性の変化として読み取ることができる。光学的音声トラック２０を光学的に読み出し、これに続いてこの読み出された音声を再生する場合、読み出された音声情報に含まれるマーキング１４が、セルロイドフィルム１０を個々に識別できる程度に顕著性があるようにする。
【００４５】
光学的音声トラック２０に設けられたマーキングは、読み出し方向Ａに対し直交する方向で、代表的に５０〜２５０マイクロメートルの幅を有する。一方で高い認識可能性を確保し、他方で音声再生への著しい影響を避けるためには、８０〜１２０マイクロメートルのマーキングの幅が特に有効であることを確かめた。
【００４６】
光学的音声トラック２０の領域にマーキングの列を設ける代わりに、またはそれに加えて、同様のマーキングを画像（イメージ）領域２２の一区分２４に設けることも可能である。マーキング１４は、単一の画像または一連の複数の画像に付加することができる。マーキングは、画像領域２２の区分２４におけるセルロイドフィルムの光学特性を変化させる。従って、画像情報を（光学的に）読み出す場合、区分２４にあるマーキングの列が同時に読み出される。
【００４７】
画像領域２２の区分２４に設けられるマーキングは、図３ａに示すような一連の棒にしうる。しかし、マーキングの列は、図３ｂに示すようなコードパターンにすることもできる。このようなコードパターンには、再生される画像情報に及ぼす影響が少ないという利点がある。加えて、図３ｂに示したコードパターンは、利用可能なコードの数が多くなるため、個々に識別する容量を大きくすることができる。
【００４８】
図３ｂの例に示されたコードパターンは、個々のコード、すなわちコードラインから成っており、これらの各々が、１つのバイナリコードに対応している。例えば、コードパターンの右から３番目のコード列は、二進数１００１１１０１０に対応している。
【００４９】
個々のマーキングは、再生される情報の中に順次現れるように、媒体上に形成することができる。これは、例えば図３ａによる実施例の場合では、光学的音声トラック２０の領域に設けられたマーキング１４の場合に当てはまる。個々のマーキングは、再生される音声中に順次に現れる。一方、再生される情報の中に、マーキングの全部が同時に現れるようにすることも可能である。これは、マーキングが画像情報の中に含まれる場合（図３ａおよび図３ｂの区分２４）に当てはまる。しかし、マーキング列中の個々のマーキングが、画像情報中で順次に現れ、従って時間差をもって再生されるようにすることもできる。この方法には、再生される画像情報の知覚が悪影響を受けにくくなる利点がある。
【００５０】
図４は、図３ａを参照して説明した実施例の変形例である。図４において図３ａと対応する要素には、図３ａと同じ符号を付した。
【００５１】
図４に示されるように、セルロイドフィルムの形態とした媒体１０上には、再生用のアナログ情報を有する第１の区分、すなわち光学的音声トラック２０に加えて、さらに２つの区分３０および３２があり、そのいずれにも再生用のデジタル情報が含まれている。これらの２つの追加の区分はデジタル音声トラック３０および３２であり、光学的音声トラック２０と平行に延在している。媒体１０のエッジに設けたデジタル音声トラック３０は、ＳＤＤＳ音声トラックの半分である（残りの半分は、媒体１０の反対側のエッジに配置されている）。第２のデジタル音声トラック３２は、フィルム送り用のパーフォレーションの間に設けられたＳＲＤ音声トラックである。
【００５２】
加えて、ＤＴＳタイムコードトラックなどのような音声制御トラック４０が媒体１０上に設けられている。この制御トラック４０は、再生時に読み出され、その内容がＤＴＳ再生装置に送られる。ＤＴＳ再生装置は受け取った制御情報に基づいて、画像情報の再生とＤＴＳのＣＤ−ＲＯＭから読み出された音声情報の再生とを同期させる。
【００５３】
合計で３つの音声トラック２０、３０および３２に含まれる情報（タイムコードトラック４０から取り出されることもある）は、重複しており互いに一致する。このため、通常１つのトラック、しばしばＳＲＤ音声トラック３２だけが読み出される。アナログ音声トラック２０は、読み出し装置（例えば映写機）がトラック３０、３２、４０を読み出せないか、トラック３０、３２、４０が汚れたり欠損してたりその他の理由で読み出し不能なときにのみ、読み出される。換言すれば、光学的音声トラック２０は「予備の解決手段」として使用されることが多い。
【００５４】
図４から明らかなように、デジタル音声トラック３０、３２およびタイムコードトラック４０は、光学的音声トラック２０上のマーキング１４に隣接した個所で除去されている。すなわちこれらの個所で読み出しが行われないようになっている。より正確に言えば、マーキングが設けられたアナログデータの部分に情報的に対応するトラック３０、３２および４０の部分を、判読不能にする。この目的のために、２つのデジタル音声トラック３０、３２、およびタイムコードトラック４０に、小さな点のような変化部分３４、３６、３８および４２をレーザによって形成する。製造段階で、個所３４、３６、３８および４２にはトラック３０、３２、４０を記録しないことも考えられるし、または物理的方法（ニッキング、スクラッピングなど）により個所３４、３６、３８および４２でトラック３０、３２、４０を読み出し不能にしておくということも考えられよう。
【００５５】
個所３４、３６、３８および４２においてデジタル音声情報およびタイムコード情報の双方またはいずれか一方が欠落するか或いは判読不能になる結果として、読み出し装置は個所３４、３６、３８および４２において光学的音声トラック２０を読み取り、そこに記録されているアナログ情報を読み出すことになる。アナログ情報と同時に、上述したようにマーキング１４の列も読み出される。従って、デジタル音声トラック３０、３２とタイムコードトラック４０とのいずれか一方又は双方の読み出しが意図的に阻止され、マーキング１４の列の強制的な読み出し（および強制的な再生）が実行される。
【００５６】
デジタル情報トラックにおいて、マーキング列によって発生させられた誤りが、デジタルの訂正処理（例えば補間）によって除去されてしまう場合、図４に係る実施例が特に好ましい。補正処理が用いられない場合には、マーキングの列をデジタル情報トラックの１つに（排他的にまたは付加的に）設けることもできる。
【００５７】
図４に図示したように、マーキング１４の列は、基本的には長手方向で１つの画像上に延在させることができる。しかし、マーキング１４の列を数個（２、３もしくはそれ以上）の画像上に設けることもできる。トラック３０、３２、４０への妨害は、光学的音声トラック２０への切り替えに十分な時間的余裕が見込めるように、光学的音声トラック２０中にマーキング列（１４）が現れるよりも数画像（１、２またはそれ以上の画像）前から開始せるのが好ましい。従って、トラック３０、３２、４０における妨害個所３４、３６、３８および４２は、実際に光学的音声トラック２０が読み出される（或いは読み出されうる）時刻にマーキング列１４が現れるよう、十分前もって（従って十分長い間）現れるようにする必要がある。
【００５８】
以下では、図１〜４を参照して説明した媒体の１つを識別する方法を、より詳しく説明する。ここでは、媒体を個々に識別するためのマーキングの列が、音声情報の領域に記録され、音声情報と一緒に読み出されるものとする。また、音声情報中においてマーキング列が含まれている位置も分かっているものとする。
【００５９】
マーキング列が付加された媒体の領域から音声情報が読み出されると、この情報は、直ちに、或いは再生されて音声として取得された後で、スペクトル分析器によってスペクトル解析される。これと同時に、適切な音声濾波が行われる。マーキングを含まない対応する基準音声情報にも、読み出された音声情報と同じ処理が施される。こうして処理された基準音声情報が、処理済みの読み出された音声情報から減算される。
【００６０】
この減算の結果を図５に示す。読み出された音声情報に含まれていたマーキングの列に対応する個々のピークの列（図５の例においては８つの連続するマーキング＝二進数１１１１１１１１）がはっきりと現れている。ピークの位置、高さ、幅（すなわち音程や音量）は媒体に形成されるマーキングの間隔、強度および寸法によって故意に変えることができる。マーキングの音量は、基準情報の背景音量よりも、少なくとも５デシベル、好ましくは１０デシベル大きくすることが望ましい。
【００６１】
このようにして、読み出された音声信号中のマーキングの列は聴き手にはほとんど或いは全く知覚されないので、適切な方法を使用してマーキングの列を判定するとともに、随時当該媒体を独自に識別することが可能になる。この方法の主たる特徴は、一度マスター媒体に付加されたマーキングは、マスター媒体が複製されても、特に、音声情報のデータフォーマットが変更されたとしても（例えばアナログからデジタルに）、なお維持され続けるという点にある。
【００６２】
図１〜４につき説明した実施例は、本発明の基礎となる着想を示すものであり、本発明はこれらに限定されるものではない。特に、他の情報媒体や他のマーキングも用いうるものである。媒体上における再生用の情報の配置も、本実施例とは異なったものとすることが可能である。例えば、情報を、媒体上で互いにある距離の間隔を置いた離散的な個所に、連続的なシーケンスとして配置することもできる。この場合、適切な読み出し機構を用いることによって、離散的な個所から読み出された連続情報を、実際に連続的となるように再生することができる。ただし、単純な読み出し装置しか利用可能でない場合、連続的な情報列を媒体上で論理的につなぎ合わせておく必要がある。
【図面の簡単な説明】
【００６３】
【図１】アナログレコードの形態での、本発明による媒体の第１実施例を示す。
【図２】磁気テープの形態での、本発明による媒体の第２実施例を示す。
【図３ａ】セルロイドフィルムの形態での、本発明による媒体の第３実施例を示す。
【図３ｂ】図３ａの変形例を示す。
【図４】図３ａの更なる変形例を示す。
【図５】再生された音声情報に含まれるマーキングの列を判定するための測定図を示す。
【図１】
2007507051.tif 000003
【図２】
2007507051.tif 000004
2007507051.tif 000005
【図４】
2007507051.tif 000006
【図５】
2007507051.tif 000007
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
再生に供される情報が機械可読媒体（１０）上に連続的なシーケンスで含まれる当該機械可読媒体にマーキングを施すマーキング方法において、再生に供される前記情報の領域に、媒体を個々に識別しうるマーキング（１４）の列であって、再生に供される前記情報と同時に読み出しうる当該マーキングの列を形成することを特徴とするマーキング方法。
【請求項２】
請求項１に記載のマーキング方法において、情報の再生が媒体を個々に識別しうる程度に変化されるように、前記マーキングを形成することを特徴とするマーキング方法。
【請求項３】
請求項１または２に記載のマーキング方法において、再生に供される前記情報を音声情報とすることを特徴とするマーキング方法。
【請求項４】
請求項１〜３のいずれか一項に記載のマーキング方法において、再生に供される前記情報を画像情報とすることを特徴とするマーキング方法。
【請求項５】
請求項１〜４のいずれか一項に記載のマーキング方法において、再生に供される前記情報をアナログ情報とすることを特徴とするマーキング方法。
【請求項６】
請求項１〜５のいずれか一項に記載のマーキング方法において、前記マーキングは、再生に供される前記情報とは時間的に別個に、媒体上に形成することを特徴とするマーキング方法。
【請求項７】
請求項１〜６のいずれか一項に記載のマーキング方法において、前記マーキングは、媒体の磁気的特性および機械的特性の双方またはいずれか一方を変化させることによって形成することを特徴とするマーキング方法。
【請求項８】
請求項１〜７のいずれか一項に記載のマーキング方法であって、前記媒体（１０）には第１区分（２０）に再生に供されるアナログ情報を含め、少なくとも１つの第２区分（３０、３２）に再生に供されるデジタル情報を重畳的に含め、前記マーキング（１４）の列は前記第１区分（２０）に形成することを特徴とするマーキング方法。
【請求項９】
請求項１〜８のいずれか一項に記載のマーキング方法において、前記マーキングをレーザを用いて形成することを特徴とするマーキング方法。
【請求項１０】
再生に供されるアナログ及びデジタル情報が機械可読媒体（１０）上に連続的なシーケンスで含まれる当該機械可読媒体（１０）にマーキングを施すマーキング方法において、
前記機械可読媒体（１０）は、第１区分（２０）内に、再生に供するアナログ情報を予備の二次情報源として含むとともに、少なくとも１つの第２区分（３０，３２）内に、再生に供するデジタル情報を一次情報源として含むようにし、
前記第１区分（２０）内に、前記機械可読媒体（１０）を個々に識別する、局部的に離間したマーキング（１４）の列の形態の識別コードを形成し、この識別コードは、前記第１区分（２０）内に含まれるアナログ情報の再生を変化させて前記機械可読媒体（１０）を個々に識別するようにするために、前記第１区分（２０）内に含まれるアナログ情報と一緒に読出しうるようにし、マーキングの再生のための一次情報源から二次情報源への遷移を実行するために、デジタル情報が適所で存在していないかまたは読み出し不能或いはその双方となっているようにするマーキング方法。
【請求項１１】
再生に供されるアナログ音声情報が機械可読媒体（１０）上に連続的なシーケンスで含まれる当該機械可読媒体（１０）にマーキングを施すマーキング方法において、
前記アナログ音声情報を光学的音声トラック（２０）内に含め、
この光学的音声トラック（２０）内に、前記機械可読媒体（１０）を個々に識別する、局部的に離間したマーキング（１４）の列の形態の識別コードを形成し、この識別コードは、前記光学的音声トラック内に含まれる音声情報の再生を変化させて前記機械可読媒体（１０）を個々に識別するようにするために、前記光学的音声トラック（２０）内に含まれる音声情報と一緒に読出しうるようにするマーキング方法。
【請求項１２】
機械可読媒体（１０）上に連続的なシーケンスで含まれ、再生に供される情報用の当該機械可読媒体において、この機械可読媒体を個々に識別するとともに、再生に供される情報と一緒に読み出しうるマーキング（１４）の列が、再生に供される前記情報の領域に形成されていることを特徴とする機械可読媒体。
【請求項１３】
請求項１１に記載の機械可読媒体において、この機械可読媒体がほぼ平面形状であり、特にテープ形状であることを特徴とする機械可読媒体。
【請求項１４】
請求項１２または１３に記載の機械可読媒体において、前記マーキングの列が識別コード（１６）であることを特徴とする機械可読媒体。
【請求項１５】
請求項１２〜１４のいずれか一項に記載の機械可読媒体において、前記マーキングの列は、再生情報に対する聴き手の知覚にほとんどまたは全く影響を与えないように形成されていることを特徴とする機械可読媒体。
【請求項１６】
請求項１２〜１５のいずれか一項に記載の機械可読媒体において、前記マーキングのうちの１つが少なくとも読み出し方向（Ａ）に対し直交する方向に延在していることを特徴とする機械可読媒体。
【請求項１７】
請求項１２〜１６のいずれか一項に記載の機械可読媒体において、この機械可読媒体（１０）上では、再生に供されるアナログ情報が第１区分（２０）内に含まれており、再生に供されるデジタル情報が少なくとも１つの第２区分（３０、３２）に含まれており、前記マーキング（１４）が前記第１区分（２０）に形成されていることを特徴とする機械可読媒体。
【請求項１８】
請求項１７に記載の機械可読媒体において、前記アナログ情報と前記デジタル情報とが互いに一致していることを特徴とする機械可読媒体。
【請求項１９】
請求項１８に記載の機械可読媒体において、前記マーキング（１４）が形成されているアナログ情報の領域ではこのアナログ情報に一致するデジタル情報が、存在していないまたは読み出し不能或いはその双方となっていることを特徴とする機械可読媒体。
【請求項２０】
請求項１９に記載の機械可読媒体において、読み出し不能なデジタル情報が形成されるまたは形成されたこの機械可読媒体（１０）は、光学特性が後に変化されていることを特徴とする機械可読媒体。
【請求項２１】
請求項１７〜２０のいずれか一項に記載の機械可読媒体において、前記第１区分（２０）が光学的音声トラックであることを特徴とする機械可読媒体。
【請求項２２】
請求項１７〜２１のいずれか一項に記載の機械可読媒体において、前記第２区分（３０、３２）がデジタル音声トラックであることを特徴とする機械可読媒体。
【請求項２３】
請求項２１に記載の機械可読媒体において、前記第２区分（３０，３２）がデジタル音声トラックであり、このデジタル音声トラック（３０、３２）は、光学的音声トラック（２０）上のマーキング（１４）に隣接する個所において、存在していないかまたは読み出し不能或いはその双方となっていることを特徴とする機械可読媒体。
【請求項２４】
請求項１２〜２３のいずれか一項に記載の機械可読媒体（１０）を複製することによって得た、再生に供される情報を含む、特徴付け媒体。
【請求項２５】
請求項１２〜２４のいずれか一項に記載の機械可読媒体（１０）を識別する識別方法であって、
マーキング（１４）が付された媒体上の領域において、この媒体上に入れられた再生に供される情報を機械読み出しする過程と、
前記マーキングの列を判定するために読み出された情報を評価する過程と、
判定されたマーキングの列に基づいて媒体を識別する過程と
を有する識別方法。
【請求項２６】
請求項２５に記載の識別方法において、前記マーキングの列の判定には、画像分析および周波数分析の双方またはいずれか一方を含めることを特徴とする識別方法。
【請求項２７】
請求項２５または２６に記載の識別方法において、この方法がさらに、
基準情報を得る過程と、
前記マーキングを識別するため、媒体から読み出された再生に供される情報と前記基準情報とを比較する過程と
を有する識別方法。
【請求項２８】
個別化された機械可読媒体（１０）上に連続的なシーケンスで含まれ、再生に供されるアナログ及びデジタル情報用の当該機械可読媒体において、
前記機械可読媒体（１０）が、第１区分（２０）内に、再生に供するアナログ情報を予備の二次情報源として含むとともに、少なくとも１つの第２区分（３０，３２）内に、再生に供するデジタル情報を一次情報源として含み、
前記第１区分（２０）内に、前記機械可読媒体（１０）を個々に識別する、局部的に離間したマーキング（１４）の列の形態の識別コードが形成され、この識別コードは、前記第１区分（２０）内に含まれるアナログ情報の再生を変化させて前記機械可読媒体（１０）を個々に識別するようにするために、再生に供される情報と一緒に読出しうるようにしてあり、マーキングの再生のための一次情報源から二次情報源への遷移を実行するために、デジタル情報が適所で存在していないかまたは読み出し不能或いはその双方となっているようにした機械可読媒体。
【請求項２９】
個別化された機械可読媒体（１０）上に再生に供されるアナログ音声情報を連続的なシーケンスで含む当該機械可読媒体において、
前記アナログ音声情報が光学的音声トラック（２０）内に含まれ、
この光学的音声トラック（２０）が、前記機械可読媒体（１０）を個々に識別する、局部的に離間したマーキング（１４）の列の形態の識別コードを含み、この識別コードは、前記光学的音声トラック内に含まれる音声情報の再生を変化させて前記機械可読媒体（１０）を個々に識別するようにするために、前記光学的音声トラック（２０）内に含まれる音声情報と一緒に読出しうるようにした機械可読媒体。
【国際調査報告】
2007507051.tif 000008
2007507051.tif 000009
2007507051.tif 000010
2007507051.tif 000011
2007507051.tif 000012
2007507051.tif 000013
2007507051.tif 000014
2007507051.tif 000015
2007507051.tif 000016
2007507051.tif 000017
2007507051.tif 000018
2007507051.tif 000019
2007507051.tif 000020